(57)【要約】【課題】面倒な操作なしに、容易に、希望する機能を起動したり、希望する保存データを呼び出したりすることが可能な携帯端末装置を提供することを課題とする。【解決手段】変換前文字列に対応する変換後文字列又はファイルを含む変換候補を保持する辞書部を有し、利用者が入力した変換前文字列に対応する変換候補を抽出して出力する携帯端末装置を提供する。そして、変換候補のファイルが選択された場合には、そのファイルのデータを開いたり、プログラムを実行したりする携帯端末装置を提供する。【選択図】          図２
2009135715.tif 000002
【特許請求の範囲】
【請求項１】
変換前文字列を入力するための変換前文字列入力部と、
変換前文字列に対応する変換後文字列又は変換前文字列に対応するファイルを含む変換候補を保持する辞書部と、
入力に応じて辞書部から変換候補を抽出して出力する変換候補抽出部と、
抽出された変換候補の選択を受付ける選択受付部と、
選択受付部が受付けた選択の対象に応じてプロセスを実行する選択実行部と、
を有する携帯端末装置。
【請求項２】
変換候補抽出部は、
変換候補が文字列である場合には文字列を表示する文字表示手段、
変換候補がファイルである場合には、ファイルを識別可能なファイル文字列を表示するファイル表示手段、を有し、
文字表示手段が表示する文字列と、ファイル表示手段が表示するファイル文字列とはその表示が両者を区別して視認可能に表示されるよう文字表示手段とファイル表示手段とは構成されている請求項１に記載の携帯端末装置。
【請求項３】
選択実行部は、
選択受付部が受付けた選択の対象が、
ファイルである場合にはファイルを開くプロセス又はファイルを実行するプロセスを実行し、
文字列である場合にはその文字列を出力するプロセスを実行する
選択実行手段を有する請求項１または２に記載の携帯端末装置。
【請求項４】
変換候補抽出部は、
変換候補が静止画像である場合には静止画像を抽出し出力する画像表示手段、
を有する請求項１から３のいずれか一に記載の携帯端末装置。
【請求項５】
変換前文字列入力部は、
変換前文字列を待受け画面から入力するための待受け画面入力手段を有する請求項１から４のいずれか一に記載の携帯端末装置。
【請求項６】
自装置内での機能の実行状態を示す情報であるステータス情報を取得する第一ステータス情報取得部をさらに有し、
辞書部は、
変換前文字列に対して変換候補とすべき文字列又はファイルを抽出するために満たさなければならない自装置内での機能実行ステータスを示す条件であるステータス条件を保持するステータス条件保持手段を有し、
変換候補抽出部は、
取得したステータス情報と前記ステータス条件とを比較して前記抽出をするステータス依存抽出手段、
を有する請求項１から５のいずれか一に記載の携帯端末装置。
【請求項７】
自装置内での機能の実行状態を示す情報であるステータス情報を取得する第二ステータス情報取得部をさらに有し、
選択実行部は、
選択の結果、選択候補に対して実行すべきプロセスをステータス情報に応じて決定する実行プロセス決定手段を有する請求項１から６のいずれか一に記載の携帯端末装置。
【請求項８】
変換候補抽出部は、選択受付部での選択の受付に応じて変換候補に変換候補の出力に関して重み付けを行う重付手段をさらに有する請求項１から７のいずれか一に記載の携帯端末装置。
【請求項９】
ＴＶ放送受信部と、
ＴＶ画像の画像キャプチャ部と、
辞書部を編集する第一編集部を有し、
第一編集部は、変換候補としてキャプチャ画像が登録される場合には、キャプチャ画像を抽出するための変換前文字列を、そのキャプチャ画像に関連付けられたＥＰＧから取得するＥＰＧ取得手段を有する請求項１から８のいずれか一に記載の携帯端末装置。
【請求項１０】
携帯電話部と、
携帯電話部で利用されるアドレス帳管理部と、
辞書部を編集する第二編集部を有し、
第二編集部は、変換候補としてアドレス帳に記録されている文字列を登録する場合には、その登録文字列を抽出するための変換前文字列として、登録文字列と関連付けてアドレス帳に記録されている文字列を取得するアドレス帳文字列取得手段を有する請求項１から９のいずれか一に記載の携帯端末装置。
【請求項１１】
ＧＰＳ情報と関連付けて写真を取得し写真ファイルを保持する写真保持部と、
辞書部を編集する第三編集部を有し、
第三編集部は、変換候補として取得した写真ファイルを登録する場合には、その取得した写真を抽出するための変換前文字列として、その写真ファイルと関連付けられているＧＰＳ情報又はＧＰＳ情報に基づいて取得できる地理的情報を取得する第一地理的情報取得手段を有する請求項１から１０のいずれか一に記載の携帯端末装置。
【請求項１２】
ＧＰＳ情報と関連付けて写真を取得し写真ファイルを保持する写真保持部と、
辞書部を編集する第四編集部を有し、
第四編集部は、変換候補として取得した写真である静止画像を登録する場合には、その取得した写真である静止画像を抽出するための変換前文字列として、その写真と関連付けられているＧＰＳ情報又はＧＰＳ情報に基づいて取得できる地理的情報を取得する第二地理的情報取得手段を有する請求項１から１１のいずれか一に記載の携帯端末装置。
【請求項１３】
変換候補抽出部は、変換候補をカテゴライズして出力するカテゴライズ手段を有する請求項１から１２のいずれか一に記載の携帯端末装置。
【請求項１４】
変換候補抽出部は、カテゴライズ手段が出力するカテゴリーを定めるための命令であるカテゴリー選択命令を受付けるカテゴリー選択命令受付手段を有する請求項１３に記載の携帯端末装置。
【請求項１５】
辞書部は、
変換候補の静止画像と再変換候補の文字列を関連付けて保持する再変換候補保持手段を有し、
選択実行部は、
再変換候補と関連付けて保持されている変換候補の静止画像が選択された場合には、再変換候補の文字列を出力する再変換候補出力手段を有する
請求項４、請求項４に従属の請求項５から１４のいずれか一に記載の携帯端末装置。
【請求項１６】
変換前文字列に対応する変換後文字列又は変換前文字列に対応するファイルを含む変換候補を保持し、
変換前文字列を入力するための変換前文字列入力ステップと、
入力に応じて変換候補を抽出して出力する変換候補抽出ステップと、
抽出された変換候補の選択を受付ける選択受付ステップと、
選択受付ステップで受付けた選択の対象に応じてプロセスを実行する選択実行ステップと、
を有する携帯端末装置の起動方法。
【請求項１７】
変換候補抽出ステップは、
変換候補が文字列である場合には文字列を表示する文字表示サブステップ、
変換候補がファイルである場合には、ファイルを識別可能なファイル文字列を表示するファイル表示サブステップ、を有し、
文字表示サブステップで表示する文字列と、ファイル表示サブステップで表示するファイル文字列とはその表示が両者を区別して視認可能に表示されるよう文字表示サブステップとファイル表示サブステップとは構成されている請求項１６に記載の携帯端末装置の起動方法。
【請求項１８】
選択実行ステップは、
選択受付ステップで受付けた選択の対象が、
ファイルである場合にはファイルを開くプロセス又はファイルを実行するプロセスを実行し、
文字列である場合にはその文字列を出力するプロセスを実行する
選択実行サブステップを有する請求項１６または１７に記載の携帯端末装置の起動方法。
【請求項１９】
変換前文字列入力ステップは、
変換前文字列を待受け画面などのポータル画面から入力するためのポータル画面入力サブステップを有する請求項１６から１８のいずれか一に記載の携帯端末装置の起動方法。
【請求項２０】
ＴＶ放送受信ステップと、
ＴＶ画像の画像キャプチャステップと、
変換前文字列に対応する変換後文字列又はファイルを含む変換候補を編集する第一編集ステップを有し、
第一編集ステップは、変換候補としてキャプチャ画像が登録される場合には、キャプチャ画像を抽出するための変換前文字列を、そのキャプチャ画像に関連付けられたＥＰＧから取得するＥＰＧ取得サブステップを有する請求項１６から１９のいずれか一に記載の携帯端末装置の起動方法。
【請求項２１】
携帯電話ステップと、
携帯電話ステップで利用されるアドレス帳管理ステップと、
変換前文字列に対応する変換後文字列又はファイルを含む変換候補を編集する第二編集ステップを有し、
第二編集ステップは、変換候補としてアドレス帳に記録されている文字列を登録する場合には、その登録文字列を抽出するための変換前文字列として、登録文字列と関連付けてアドレス帳に記録されている文字列を取得するアドレス帳文字列取得サブステップを有する請求項１６から２０のいずれか一に記載の携帯端末装置の起動方法。
【請求項２２】
ＧＰＳ情報と関連付けて写真を取得し写真ファイルを保持する写真保持ステップと、
変換前文字列に対応する変換後文字列又はファイルを含む変換候補を編集する第四編集ステップを有し、
第四編集ステップは、変換候補として取得した写真である静止画像を登録する場合には、その取得した写真である静止画像を抽出するための変換前文字列として、その写真と関連付けられているＧＰＳ情報又はＧＰＳ情報に基づいて取得できる地理的情報を取得する第二地理的情報取得サブステップを有する請求項１６から２１のいずれか一に記載の携帯端末装置の起動方法。
【発明の詳細な説明】
【技術分野】
【０００１】
本発明は、メールの送受信機能、Ｗｅｂ閲覧機能、ラジオ放送受信機能、ＴＶ放送受信機能など、様々な機能を有する携帯端末装置に関する。
【背景技術】
【０００２】
近年の携帯電話などの携帯端末装置には、電話としての通話機能のほか、Ｅメールの送受信機能、Ｗｅｂ閲覧機能、ラジオ放送受信機能、ＴＶ放送受信機能、電子書籍閲覧機能など様々な機能が付与されている。また、記憶容量も大容量化し、静止画像や動画像、アドレスなどの情報を多数保存することが可能となっている。このように、近年の携帯端末装置は高性能化し、とても便利なものとなっている。しかしながらその反面で、高性能化するに伴い、それらを起動するための操作が複雑になり、また、保存したデータの中から希望するデータを見つける操作が面倒になるなどの不都合が生じうる。
【０００３】
例えば、ＴＶ放送受信機能を起動する場合、利用者は携帯端末装置の操作キーを操作するなどして、待受け画面から最初のメニュー画面を呼び出し、そのメニュー画面に表示される複数の項目の中から所定の項目を選択して次のメニュー画面を呼び出す。そして、次のメニュー画面でも再び所定の項目を選択して次のメニュー画面を呼び出す。当該操作を何度か繰り返し「ＴＶ放送受信機能を起動するためのメニュー画面」を呼び出すと、決定ボタンを押下してＴＶ放送受信機能を起動させることとなる。Ｅメールの送受信機能やカメラ機能など特に良く利用される機能は、携帯端末装置の操作キーの中にそれらを一発起動するためのキーが設けられ、その操作キーを押下することで容易に起動されるよう構成されているものもある。しかし、利用頻度の落ちるその他の機能は、前記のように「メニュー画面から起動する」のが一般的である。
【０００４】
このように、「メニュー画面から起動する」という同様の手法で複数の機能を起動させようとすると、待受け画面からそれらの機能を起動するためのメニュー画面に到達するまでの途中のメニューは、階層的に展開されることとなる。かかる場合、ある機能を起動しようとする際、利用者は待受け画面から希望する機能を起動するためのメニュー画面を呼び出すまでに何度も「所定の項目の選択−決定」の操作を行う必要があり、非常に面倒である。また、複数回行う「所定の項目の選択−決定」の操作は、すべて正しく選択する必要があり、一度でも間違った項目を選択してしまうと、希望する機能を起動するためのメニュー画面を呼び出せないという不都合が生じる。かかる場合、利用者は「クリアーキー」などで前のメニュー画面に戻って他の項目を選択し直すか、待受け画面に戻り最初から操作をやり直す必要があり面倒である。
【０００５】
そこで、前記不都合を解決するための手段として、特許文献１のような発明がなされている。特許文献１の発明は、コンピュータの機能を実行するために要する複雑な操作を簡易にするためになされたコンピュータシステムであり、具体的には、利用者が日常言語で「希望する処理（例：メールを作成して送る）」を入力すると、コンピュータは入力された日常言語を理解し、利用者が希望する処理を行うための機能を自動的に起動したり、起動するためのメニュー画面を呼び出したりするというものである。これにより、利用者は希望するメニュー画面を正しく呼び出すことが可能となり、前記のような同じ操作を何度も繰り返すという不都合を解消できる。しかしながら、当該発明は入力する日常言語が長い場合、多くの文字を入力する必要があり、入力操作が非常に面倒である。
【特許文献１】特開２００５−２２８０７５
【発明の開示】
【発明が解決しようとする課題】
【０００６】
そこで、本発明では面倒な操作なしに、容易に、希望する機能を起動したり、希望する保存データを呼び出したりすることが可能な携帯端末装置を提供することを課題とする。
【課題を解決するための手段】
【０００７】
上記課題を解決するための手段として、以下のような発明などを提供する。
【０００８】
変換前文字列に対応する変換後文字列又はファイルを含む変換候補を保持する辞書部を有し、辞書部を利用して、利用者が入力した変換前文字列に対応する変換候補を抽出して出力する携帯端末装置を提供する。また、変換候補のファイルがプログラムファイルである場合には、そのファイル名などを表示し、利用者が複数の変換候補の中からプログラムファイルのファイル名を選択した場合には、そのプログラムを起動する携帯端末装置を提供する。さらに、前記辞書部は、ＥＰＧやＧＰＳ、アドレス帳などから情報を取得し編集可能である携帯端末装置を提供する。
【０００９】
具体的には、以下の発明を提供する。
【００１０】
第一発明では、変換前文字列を入力するための変換前文字列入力部と、変換前文字列に対応する変換後文字列又は変換前文字列に対応するファイルを含む変換候補を保持する辞書部と、入力に応じて辞書部から変換候補を抽出して出力する変換候補抽出部と、抽出された変換候補の選択を受付ける選択受付部と、選択受付部が受付けた選択の対象に応じてプロセスを実行する選択実行部と、を有する携帯端末装置を提供する。
【００１１】
第二発明では、第一発明を基本とし、さらに、変換候補抽出部は、変換候補が文字列である場合には文字列を表示する文字表示手段、変換候補がファイルである場合には、ファイルを識別可能なファイル文字列を表示するファイル表示手段を有し、文字表示手段が表示する文字列と、ファイル表示手段が表示するファイル文字列とはその表示が両者を区別して視認可能に表示されるよう文字表示手段とファイル表示手段とは構成されている携帯端末装置を提供する。
【００１２】
第三発明では、第一発明または第二発明を基本とし、さらに、選択実行部は、選択受付部が受付けた選択の対象が、ファイルである場合にはファイルを開くプロセス又はファイルを実行するプロセスを実行し、文字列である場合にはその文字列を出力するプロセスを実行する選択実行手段を有する携帯端末装置を提供する。
【００１３】
第四発明では、第一発明から第三発明のいずれか一を基本とし、さらに、変換候補抽出部は、変換候補が静止画像である場合には静止画像を抽出し出力する画像表示手段を有する携帯端末装置を提供する。
【００１４】
第五発明では、第一発明から第四発明のいずれか一を基本とし、さらに、変換前文字列入力部は、変換前文字列を待受け画面から入力するための待受け画面入力手段を有する携帯端末装置を提供する。
【００１５】
第六発明では、第一発明から第五発明のいずれか一を基本とし、さらに、自装置内での機能の実行状態を示す情報であるステータス情報を取得する第一ステータス情報取得部をさらに有し、辞書部は、変換前文字列に対して変換候補とすべき文字列又はファイルを抽出するために満たさなければならない自装置内での機能実行ステータスを示す条件であるステータス条件を保持するステータス条件保持手段を有し、変換候補抽出部は、取得したステータス情報と前記ステータス条件とを比較して前記抽出をするステータス依存抽出手段を有する携帯端末装置を提供する。
【００１６】
第七発明では、第一発明から第六発明のいずれか一を基本とし、さらに、自装置内での機能の実行状態を示す情報であるステータス情報を取得する第二ステータス情報取得部をさらに有し、選択実行部は、選択の結果、選択候補に対して実行すべきプロセスをステータス情報に応じて決定する実行プロセス決定手段を有する携帯端末装置を提供する。
【００１７】
第八発明では、第一発明から第七発明のいずれか一を基本とし、さらに、変換候補抽出部は、選択受付部での選択の受付に応じて変換候補に変換候補の出力に関して重み付けを行う重付手段をさらに有する携帯端末装置を提供する。
【００１８】
第九発明では、第一発明から第八発明のいずれか一を基本とし、さらに、ＴＶ放送受信部と、ＴＶ画像の画像キャプチャ部と、辞書部を編集する第一編集部を有し、第一編集部は、変換候補としてキャプチャ画像が登録される場合には、キャプチャ画像を抽出するための変換前文字列を、そのキャプチャ画像に関連付けられたＥＰＧから取得するＥＰＧ取得手段を有する携帯端末装置を提供する。
【００１９】
第十発明では、第一発明から第九発明のいずれか一を基本とし、さらに、携帯電話部と、携帯電話部で利用されるアドレス帳管理部と、辞書部を編集する第二編集部を有し、第二編集部は、変換候補としてアドレス帳に記録されている文字列を登録する場合には、その登録文字列を抽出するための変換前文字列として、登録文字列と関連付けてアドレス帳に記録されている文字列を取得するアドレス帳文字列取得手段を有する携帯端末装置を提供する。
【００２０】
第十一発明では、第一発明から第十発明のいずれか一を基本とし、さらに、ＧＰＳ情報と関連付けて写真を取得し写真ファイルを保持する写真保持部と、辞書部を編集する第三編集部を有し、第三編集部は、変換候補として取得した写真ファイルを登録する場合には、その取得した写真を抽出するための変換前文字列として、その写真ファイルと関連付けられているＧＰＳ情報又はＧＰＳ情報に基づいて取得できる地理的情報を取得する第一地理的情報取得手段を有する携帯端末装置を提供する。
【００２１】
第十二発明では、第一発明から第十一発明のいずれか一を基本とし、さらに、ＧＰＳ情報と関連付けて写真を取得し写真ファイルを保持する写真保持部と、辞書部を編集する第四編集部を有し、第四編集部は、変換候補として取得した写真である静止画像を登録する場合には、その取得した写真である静止画像を抽出するための変換前文字列として、その写真と関連付けられているＧＰＳ情報又はＧＰＳ情報に基づいて取得できる地理的情報を取得する第二地理的情報取得手段を有する携帯端末装置を提供する。
【００２２】
第十三発明では、第一発明から第十二発明のいずれか一を基本とし、さらに、変換候補抽出部は、変換候補をカテゴライズして出力するカテゴライズ手段を有する携帯端末装置を提供する。
【００２３】
第十四発明では、第十三発明を基本とし、さらに、変換候補抽出部は、カテゴライズ手段が出力するカテゴリーを定めるための命令であるカテゴリー選択命令を受付けるカテゴリー選択命令受付手段を有する携帯端末装置を提供する。
【００２４】
第十五発明では、第四発明、第四発明に従属する第五発明から第十四発明のいずれか一を基本とし、さらに、辞書部は、変換候補の静止画像と再変換候補の文字列を関連付けて保持する再変換候補保持手段を有し、選択実行部は、再変換候補と関連付けて保持されている変換候補の静止画像が選択された場合には、再変換候補の文字列を出力する再変換候補出力手段を有する携帯端末装置を提供する。
【００２５】
第十六発明では、変換前文字列に対応する変換後文字列又は変換前文字列に対応するファイルを含む変換候補を保持し、変換前文字列を入力するための変換前文字列入力ステップと、入力に応じて変換候補を抽出して出力する変換候補抽出ステップと、抽出された変換候補の選択を受付ける選択受付ステップと、選択受付ステップで受付けた選択の対象に応じてプロセスを実行する選択実行ステップとを有する携帯端末装置の起動方法を提供する。
【００２６】
第十七発明では、第十六発明を基本とし、さらに、変換候補抽出ステップは、変換候補が文字列である場合には文字列を表示する文字表示サブステップ、変換候補がファイルである場合には、ファイルを識別可能なファイル文字列を表示するファイル表示サブステップを有し、文字表示サブステップで表示する文字列と、ファイル表示サブステップで表示する文字列とはその表示が両者を区別して視認可能に表示されるよう文字表示サブステップとファイル表示サブステップとは構成されている携帯端末装置の起動方法を提供する。
【００２７】
第十八発明では、第十六発明または第十七発明を基本とし、さらに、選択実行ステップは、選択受付ステップで受付けた選択の対象が、ファイルである場合にはファイルを開くプロセス又はファイルを実行するプロセスを実行し、文字列である場合にはその文字列を出力するプロセスを実行する選択実行サブステップを有する携帯端末装置の起動方法を提供する。
【００２８】
第十九発明では、第十六発明から第十八発明のいずれか一を基本とし、さらに、変換前文字列入力ステップは、変換前文字列を待受け画面などのポータル画面から入力するためのポータル画面入力サブステップを有する携帯端末装置の起動方法を提供する。
【００２９】
第二十発明では、第十六発明から第十九発明のいずれか一を基本とし、さらに、ＴＶ放送受信ステップと、ＴＶ画像の画像キャプチャステップと、変換前文字列に対応する変換後文字列又はファイルを含む変換候補を編集する第一編集ステップを有し、第一編集ステップは、変換候補としてキャプチャ画像が登録される場合には、キャプチャ画像を抽出するための変換前文字列を、そのキャプチャ画像に関連付けられたＥＰＧから取得するＥＰＧ取得サブステップを有する携帯端末装置の起動方法を提供する。
【００３０】
第二十一発明では、第十六発明から第二十発明のいずれか一を基本とし、さらに、携帯電話ステップと、携帯電話ステップで利用されるアドレス帳管理ステップと、変換前文字列に対応する変換後文字列又はファイルを含む変換候補を編集する第二編集ステップを有し、第二編集ステップは、変換候補としてアドレス帳に記録されている文字列を登録する場合には、その登録文字列を抽出するための変換前文字列として、登録文字列と関連付けてアドレス帳に記録されている文字列を取得するアドレス帳文字列取得サブステップを有する携帯端末装置の起動方法を提供する。
【００３１】
第二十二発明では、第十六発明から第二十一発明のいずれか一を基本とし、さらに、ＧＰＳ情報と関連付けて写真を取得し写真ファイルを保持する写真保持ステップと、変換前文字列に対応する変換後文字列又はファイルを含む変換候補を編集する第四編集ステップを有し、第四編集ステップは、変換候補として取得した写真である静止画像を登録する場合には、その取得した写真である静止画像を抽出するための変換前文字列として、その写真と関連付けられているＧＰＳ情報又はＧＰＳ情報に基づいて取得できる地理的情報を取得する第二地理的情報取得サブステップを有する携帯端末装置の起動方法を提供する。
【発明の効果】
【００３２】
本発明により、利用者は、待受け画面などから容易に希望する機能を起動することが可能となる。また、ある機能を起動中に、その機能に付随する機能を起動しようとする際にも、容易に希望する機能を起動することが可能となる。
【発明を実施するための最良の形態】
【００３３】
以下本発明を実施するための最良の形態について、図面を用いて詳細に説明する。なお、本発明はこれら実施の形態になんら限定されるものではなく、その要旨を逸脱しない範囲において種々なる態様で実施しうる。
【００３４】
なお、以下の実施形態と請求項の関係は次のとおりである。実施形態１は主として請求項１、２、３、１６、１７、１８などについて説明する。実施形態２は主として請求項４などについて説明する。実施形態３は主として請求項５、１９などについて説明する。実施形態４は主として請求項６などについて説明する。実施形態５は、主として請求項７などについて説明する。実施形態６は、主として請求項８などについて説明する。実施形態７は、主として請求項９、１０、１１、１２、２０、２１、２２などについて説明する。実施形態８は、主として請求項１３、１４などについて説明する。実施形態９は、主として請求項１５などについて説明する。
＜＜実施形態１＞＞
＜実施形態１の概要＞
【００３５】
本実施形態の携帯端末装置は、一般的に携帯端末装置に付与されている辞書機能を利用し、利用者に有益な機能を提供することを特徴とする。一般的な携帯端末装置の辞書機能は、図１に示すように、漢字、数字、アルファベットなどからなる文字列（例：「日本」、「二本」、「２本」、「ＮＩＨＯＮ」）と、それらの読み仮名（例：「にほん」）とを対応付けて保存しておき、利用者が平仮名などで文字列（例：「にほん」）を入力すると（０１０１）、対応付けて保存されている複数の文字列（例：「日本」、「二本」、「２本」、「ＮＩＨＯＮ」）が変換候補として出力される（０１０２）。そして、利用者が出力された複数の変換候補の中から希望する一つの文字列を選択入力すると、選択された文字列が所定位置に出力される（０１０３）。
【００３６】
本実施形態の携帯端末装置は、図２に示すように、ＴＶ視聴機能やＴＶ録画予約機能などのプログラムファイルと、その名称や略称（例：「てれびしちょう」）などを対応付けて保存しておき、利用者がプログラムファイルの名称や略称など（例：「てれび」）を入力すると（０２０１）、その入力文字と対応付けて保存されているプログラムファイルを識別するための文字列（例：「ＴＶ：視聴」、「ＴＶ：録画」）などが変換候補として出力される（０２０２）。そして、利用者が出力された変換候補の中から、「プログラムファイルを識別するための文字列」（例：「ＴＶ：視聴」）を選択すると、そのプログラムファイルが起動されることを特徴とする。
＜実施形態１の機能的構成＞
【００３７】
図３は、本実施形態の放送受信装置の機能ブロックの一例を表す図である。この図にあるように本実施形態の「携帯端末装置」（０３００）は、「変換前文字列入力部」（０３０１）と、「辞書部」（０３０２）と、「変換候補抽出部」（０３０３）と、「選択受付部」（０３０４）と、「選択実行部」（０３０５）を有する。また、「変換候補抽出部」（０３０３）は、「文字表示手段」と「ファイル表示手段」を、「選択実行部」（０３０５）は、「選択実行手段」を有していてもよい。
【００３８】
なお、以下に記載する本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００３９】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００４０】
以下、本実施形態の「携帯端末装置」（０３００）、「変換前文字列入力部」（０３０１）、「辞書部」（０３０２）、「変換候補抽出部」（０３０３）、「選択受付部」（０３０４）、「選択実行部」（０３０５）、「変換候補抽出部」（０３０３）の「文字表示手段」と「ファイル表示手段」、「選択実行部」（０３０５）の「選択実行手段」の機能的構成について説明する。
【００４１】
本実施形態の「携帯端末装置」は、一般的な辞書機能を有し、さらに、メールの送受信機能、Ｗｅｂ閲覧機能、ラジオ放送受信機能、ＴＶ放送受信機能、カメラ機能、電話機能など、様々な機能を有する端末装置であり、例えば、携帯電話などが該当する。
【００４２】
「変換前文字列入力部」（０３０１）は、変換前文字列を入力できるよう構成されている。「変換前文字列」とは、携帯端末装置を利用して、平仮名、片仮名、アルファベット、数字、記号などで入力されるあらゆる文字列をさす。変換前文字列入力部（０３０１）は、携帯端末装置に備え付けられた操作キーなどを利用して、変換前文字列を入力できるよう構成されている。なお、携帯端末装置（０２００）を使用して変換前文字列を入力する態様としては、例えば、メールの本文作成中、アドレス帳を編集中、撮影写真の名称を変更中、メモ帳にメモを記載中などが考えられる。
【００４３】
「辞書部」（０３０２）は、変換前文字列に対応する変換後文字列または変換前文字列に対応するファイルを含む変換候補を保持するよう構成されている。ここで、変換後文字列またはファイルを含む変換候補とは、図４に示すように、変換前文字列と対応付けて保持されている文字列またはファイルである。選択された変換候補は、その文字列を出力されたり、ファイルを実行されたりする。
【００４４】
ここで、「変換後文字列」とは、平仮名、片仮名、漢字、アルファベット、数字、記号などからなるあらゆる文字列をさす。「変換前文字列」と「変換後文字列」との関係は、漢字の読み仮名（例：「にほん」）と、その漢字（例：「日本」）のような関係（０４０１）に限られない。例えば、「ＴＶ番組の名称」、「その放映時間」、「その放送局」、「その番組の概要」、「その番組の出演者」、「その番組の関連リンク」、「その番組のジャンル名」などを組み合わせて、「変換前文字列」と「変換後文字列」としてもよい（０４０２）。変換候補の「ファイル」とは、携帯端末装置に備え付けられた機能を起動するためのプログラムファイルや、撮影した写真データ、ダウンロードした音声データなどを保存しているデータファイルなどが該当する。「携帯端末装置に備え付けられた機能」とは、「メールの送受信機能」、「Ｗｅｂ閲覧機能」、「ラジオ放送視聴機能」、「ＴＶ放送視聴機能」、「カメラ機能」、「電話機能」、「音楽視聴機能」、「電子書籍閲覧機能」、「ＧＰＳ機能」、「メール作成中の写真添付機能」、「メール作成中のデコレーションメール作成機能」、「ＩＰ通信機能」、「電子マネー機能」、「他端末とのデータ（メール、メモ、住所録など）交換機能」などあらゆる機能が該当する。なお、前記機能はあくまで一例示であり、これらに制限されるものではない。このような変換候補に対応付けられる変換前文字列は、利用者が容易に当該ファイルを想到するような文字列であればいかなるものでもよく、例えば、変換候補の「ＴＶ視聴プログラムファイル」に対して、変換前文字列は、「てれび」「てれびしちょう」「ＴＶ」（０４０３）などが考えられる。また、変換候補の「撮影した写真データを保存しているデータファイル」に対して、変換前文字列は、「しゃしんふぁいる」「しゃしん」「さつえいしゃしん」などが考えられる（０４０４）。
【００４５】
なお、ファイルは、詳細な属性情報と関連付けて独立した変換候補として保持されてもよい。例えば、変換候補の「ＴＶ視聴プログラムファイル」を属性情報（例：「８ＣＨ」）と関連付けて保持できてもよい。かかる場合の変換前文字列としては、「ＴＶ」、「８ＣＨＴＶ」などが考えられる（０４０５）。または、変換候補の「撮影写真データファイル」と属性情報（例：「写真ファイル名：父親」）と関連付けて保持できてもよい。かかる場合の変換前文字列としては、「ちちおや」「ちちおやしゃしん」などが考えられる（０４０６）。その他の詳細な属性情報としては、チャンネル、放送番組名、周波数、ＵＲＬ、メールアドレス、ＩＰアドレス、曲名、歌手名、電子書籍名、作者名、画像名、デコレーションメールのテンプレート名、撮影日時、ダウンロード日時、撮影場所などが考えられる。なお、前記は一例であり、その他、プログラムファイルを起動するためのあらゆる属性情報や、データファイルに保存されているデータと関連のあるあらゆる属性情報が該当する。このような属性情報と関連付けられたファイルが選択されると、その属性情報を引数としてファイルを実行することとなる。具体的な実行内容については、以下で説明するので、ここでの詳細な説明は省略する。
【００４６】
「変換候補抽出部」（０３０３）は、変換前文字列入力部（０３０１）での入力に応じて辞書部（０３０２）から変換候補を抽出して出力するよう構成されている。「変換前文字列入力部（０３０１）での入力に応じて」とは、利用者がメール作成中などに入力した変換前文字列に応じてという意味である。変換候補抽出部（０３０３）は、利用者の入力した変換前文字列を識別可能に構成し、また、辞書部（０３０２）が保持しているデータを利用可能に構成している。そして、変換前文字列に対応する変換候補を抽出して、ディスプレイなどに出力するよう構成されている。
【００４７】
ここで、変換候補抽出部（０３０３）の「文字表示手段」は、辞書部（０３０２）のデータの中から抽出した変換候補が文字列である場合には、変換候補表示領域（０２０２）にその文字列を表示するよう構成されている（０２０２）。また、変換候補抽出部（０３０３）の「ファイル表示手段」は、辞書部（０３０２）のデータの中から抽出した変換候補がファイルである場合には、変換候補表示領域（０２０２）に利用者がそのファイルを識別可能なファイル文字列（０２０４）を表示するよう構成されている。これらを実現する手段としては、例えば、辞書部（０３０２）は、変換候補であるファイルの変換候補表示領域における表示態様を示すデータを保持しておく（０４０７）。そして、変換候補抽出部（０３０３）は、変換候補を抽出すると、抽出した変換候補が文字列かファイルかを判断する。文字列であった場合は、「文字表示手段」によりその文字列を出力し、ファイルであった場合は、表示データを取得して、それを出力する。ここで、「ファイルを識別可能なファイル文字列」とは、例えば、図４に示すように（０４０７）、ファイルが「ＴＶ視聴機能プログラムファイル」の場合、「ＴＶ：視聴」などが該当する。また、絵記号を利用してもよい。
【００４８】
「文字表示手段」が表示した文字列と「ファイル表示手段」が表示した文字列は、利用者が両者を区別して視認可能に表示されるよう構成されている。視認可能に表示する手段としては、例えば、表示する色を異ならせることで視認可能にすることができる。例えば、「文字表示手段」が表示する文字は黒色で表示し、「ファイル表示手段」が表示する文字列は、赤色や青色などで表示してもよい。または、変換候補表示領域を区分し、例えば、左半分には「文字表示手段」により文字列を表示し、右半分には「ファイル表示手段」により文字列を表示してもよい。さらには、文字の太さを異ならせたり、片方の文字列のみ網掛けをしたりしてもよい。これにより、「文字表示手段」と「ファイル表示手段」により、同じ文字列が同時に表示されることがあっても、利用者がそれらを混同し、選択を間違う恐れはなくなる。
【００４９】
「選択受付部」（０３０４）は、変換候補抽出部（０３０３）で抽出され、変換候補表示領域（０２０２）に表示された変換候補の中から、利用者の選択を受け付けるよう構成されている。利用者が選択する方法としては、例えば、ディスプレイにカーソルが表示されており、利用者は操作キーなどでカーソルを移動させ、カーソルが選択を希望する変換候補に合っている状態で、決定キーなどを押下することで選択できてもよい。または、表示されている複数の変換候補には番号が付されており、希望する変換候補の番号と同じ数字キーを押下することで選択できてもよい。
【００５０】
「選択実行部」（０３０５）は、選択受付部（０３０４）が受け付けた選択の対象に応じてプロセスを実行するよう構成されている。そして、選択実行部（０３０５）の「選択実行手段」は、選択の対象がファイルである場合には、ファイルを開くプロセスまたはファイルを実行するプロセスを実行し、選択の対象が文字列である場合には、その文字列を出力するプロセスを実行するよう構成されている。また、選択の対象が、属性情報と関連付けられたファイルである場合には、属性情報を引数としてファイルを実行するよう構成されている。「ファイルを開くプロセスまたはファイルを実行するプロセス」は、ファイルの種類に応じて行われる。具体的には、ファイルがデータファイルである場合は、ファイルを開くプロセスを行い、ファイルがプログラムファイルである場合は、ファイルを実行するプロセスを行う。
【００５１】
ここで、「ファイルを開くプロセス」とは、そのデータファイルに保存されているデータを利用者が視認可能な状態にするプロセスをいう。例えば、「撮影写真データファイル」を開くプロセスを実行すると、ファイルに保存されている画像がディスプレイに一覧表示されたり、ファイルに保存されているファイルが一覧表示されたりする。また、属性情報（例：「父親」）と関連付けたデータファイル（例：「撮影写真データファイル」）を開くプロセスを実行すると、撮影写真データファイルの中のファイル（ファイル名：「父親」）に保存されている画像がディスプレイに一覧表示されたりする。なお、その他のデータファイル（例：「テキストファイル」、「音声ファイル」、「動画ファイル」など）についても同様で、ファイルの名称が一覧表示などされる。
【００５２】
一方、「ファイルを実行するプロセス」とは、そのプログラムファイルを起動するプロセスをいう。例えば、「ＴＶ視聴プログラムファイル」を実行すると、ディスプレイにＴＶ放送が表示される。また、属性情報（例：８ＣＨ）と関連付けたプログラムファイル（例：「ＴＶ視聴プログラムファイル」を実行すると、ディスプレイに８ＣＨのＴＶ放送が表示される。なお、その他のプログラムファイルについても同様である。
【００５３】
＜実施形態１のハードウェア構成＞
【００５４】
図５は、上記機能的構成をハードウェアとして実現した際の構成の一例を表す図である。図に示すように、本携帯端末装置は、「変換前文字列入力部」、「辞書部」、「変換候補抽出部」、「選択受付部」、「選択実行部」などを構成する「ＣＰＵ」（０５０１）、「ＲＡＭ」（０５０２）、「不揮発性メモリ」（０５０３）、「ユーザＩ／Ｆ」（０５０４）、「ネットワークＩ／Ｆ」（０５０５）、「ＨＤＤ」（０５０６）、「デジタルＴＶ・ラジオチューナ」（０５０７）、「電話信号処理回路」（０５０８）、「録音装置」（０５０９）、「デジタルカメラ」（０５１０）、「オーディオプレーヤー」（０５１１）、「デジタルブックプレーヤー」（０５１２）、「ディスプレイ」（０５１３）、「ＷＥＢ通信部」（０５１４）、「メール通信部」（０５１５）、「ＩＰ通信部」（０５１６）、「ＧＰＳ通信部」（０５１７）、「赤外線通信部」（０５１８）、「Ｂｌｕｅｔｏｏｔｈ通信部」（０５１９）、「バス」（０５２０）などを備えている。なお、前記構成はあくまで一例であり、本実施形態を実現する上で、「ネットワークＩ／Ｆ」（０５０５）、「デジタルＴＶ・ラジオチューナ」（０５０７）、「電話信号処理回路」（０５０８）、「録音装置」（０５０９）、「デジタルカメラ」（０５１０）、「オーディオプレーヤー」（０５１１）、「デジタルブックプレーヤー」（０５１２）、「ＷＥＢ通信部」（０５１４）、「メール通信部」（０５１５）、「ＩＰ通信部」（０５１６）、「ＧＰＳ通信部」（０５１７）、「赤外線通信部」（０５１８）、「Ｂｌｕｅｔｏｏｔｈ通信部」（０５１９）、などについては、すべてを備えることを必須とはしない。これは、以下の実施形態においても同様である。
【００５５】
以下に、図５のハードウェア図で本実施形態を実現する手段の一例を説明する。
【００５６】
まず、利用者が操作キーなどを利用し、変換前文字列を入力する。すると、携帯端末装置は、ユーザＩ／Ｆ（０５０５）を介して文字列入力信号を取得し、入力された変換前文字列をＲＡＭ（０５０２）のデータ領域に保存する。そして、ＲＡＭ（０５０２）に展開された変換候補抽出プログラムに従い、ＲＡＭ（０５０２）のデータ領域に保存した変換前文字列と不揮発性メモリ（０５０３）に格納している辞書データを照合し、変換前文字列と対応付けられている文字列またはファイルを抽出し、変換候補としてＲＡＭ（０５０２）のデータ領域に保存する。
【００５７】
抽出した変換候補が文字列であった場合、ＲＡＭ（０５０２）に展開された文字表示プログラムに従い、抽出した文字列を識別可能にディスプレイ（０５１３）に出力する。抽出した変換候補がファイルであった場合、ＲＡＭ（０５０２）に展開されたファイル表示プログラムに従い、ＲＡＭ（０５０２）のデータ領域に保存してある変換候補に関連付けているファイル文字列を抽出し、ディスプレイ（０５１３）に識別可能に出力する。
【００５８】
その後、利用者が操作キーなどを利用し、変換候補の選択を入力すると、携帯端末装置は、ユーザＩ／Ｆ（０５０５）を介して選択入力信号を取得し、ＲＡＭ（０５０２）のデータ領域に保存する。そして、ＲＡＭ（０５０２）に展開された変換候補識別プログラムに従い利用者が選択した変換候補を識別する。
【００５９】
選択された変換候補が文字列であった場合、ＲＡＭ（０５０２）に展開された文字出力プログラムに従い、選択された文字列をディスプレイ（０５１３）の所定位置に出力する。選択した変換候補がファイルであった場合、ＲＡＭ（０５０２）に展開されたファイル実行プログラムに従い、選択されたファイルを起動する。または、属性情報を識別して、その属性情報を引数にしてファイルを起動する。または、ファイルに保存されているデータを取り出してディスプレイ（０５１３）に出力する。
＜実施形態１の処理の流れ＞
【００６０】
本実施形態の処理の流れの一例を図６のフローチャートに示す。
【００６１】
まず、文字変換ソフトを起動する（Ｓ０６０１）。その後、利用者の文字列（変換前文字列）の入力を受け付けると（Ｓ０６０２）、変換前文字列に対応する変換後文字列またはファイルを変換候補として、辞書データから抽出する（Ｓ０６０３）。
【００６２】
変換候補が文字列である場合（Ｓ０６０４）、その文字列を出力する（Ｓ０６０５）。変換候補がファイルである場合（Ｓ０６０４）、ファイルを識別可能なファイル文字列を出力する（Ｓ０６０６）。
【００６３】
その後、利用者の変換候補の選択を受け付ける（Ｓ０６０７）。選択された変換候補が文字列である場合（Ｓ０６０８）、その文字列を所定位置に出力する（Ｓ０６０９）。選択された変換候補がデータファイルである場合（Ｓ０６１０）、ファイルに保存されているデータを出力する（Ｓ０６１１）。選択された変換候補がプログラムファイルである場合（Ｓ０６１０）、プログラムを実行する（Ｓ０６１２）。
＜実施形態１の効果＞
【００６４】
本実施形態の携帯端末装置は、文字列を入力するとそれと対応する文字列やファイルなどが変換候補として表示する。そして、変換候補の中から文字列を選択されると、その文字列を出力し、ファイルを選択されるとそのファイルを起動したり、保存データを出力したりする。
【００６５】
これにより、利用者は、面倒な操作を行わずに、容易に希望する機能を起動したり、希望するデータを取り出したりすることが可能になる。
＜＜実施形態２＞＞
＜実施形態２の概要＞
【００６６】
本実施形態の携帯端末装置は、実施形態１の携帯端末装置を基本とし、さらに、図７に示すように、変換候補が静止画像である場合は、変換候補として変換候補表示領域に静止画像（０７０１）を表示することを特徴とする。
＜実施形態２の機能的構成＞
【００６７】
図８に本実施形態における放送受信装置の機能ブロック図の一例を示す。図８に示すように、本実施形態の「携帯端末装置」（０８００）は、「変換前文字列入力部」（０８０１）、「辞書部」（０８０２）、「変換候補抽出部」（０８０３）、「選択受付部」（０８０４）、「選択実行部」（０８０５）を有し、さらに、「変換候補抽出部」（０８０３）は、「画像表示手段」を有する。
【００６８】
「変換前文字列入力部」（０８０１）と、「選択受付部」（０８０４）と、「選択実行部」（０８０５）の機能的構成については、実施形態１と同様であるので、ここでの詳細な説明は省略する。以下、「辞書部」（０８０２）と、「変換候補抽出部」（０８０３）の「画像表示手段」の機能的構成について説明する。
【００６９】
変換候補抽出部（０８０３）の「画像表示手段」は、変換候補が静止画像である場合には、その静止画像を抽出し出力するよう構成されている。なお、当該構成を実現する手段としては、辞書部（０８０２）は、変換候補として静止画像を保持しておき、画像表示手段は、辞書部が保持している静止画像を取り出して出力してもよい。または、辞書部（０８０２）は、変換候補の静止画像の保存アドレスを保持しておき、画像表示手段は、その保存アドレスから静止画像を取り出して出力してもよい。静止画像が変換候補の場合、変換前文字列としては、その静止画像の名称、撮影日時、撮影場所、イベント名などが考えられる（図９）。
【００７０】
なお、変換候補の静止画像が選択されると、静止画像がメールに添付されたり、全画面表示されたりする。
＜実施形態２のハードウェア構成＞
【００７１】
以下、図１０を用いて、本実施形態を実現する手段の一例を説明する。
【００７２】
まず、利用者が操作キーなどを利用し、変換前文字列を入力する。すると、携帯端末装置は、ユーザＩ／Ｆ（１００５）を介して文字列入力信号を取得し、ＲＡＭ（１００２）のデータ領域に保存する。そして、ＲＡＭ（１００２）に展開された変換候補抽出プログラムに従い、ＲＡＭ（１００２）のデータ領域に保存した変換前文字列と不揮発性メモリ（１００３）に格納された辞書データを照合し、変換前文字列と対応付けられている変換候補を抽出して、ＲＡＭ（１００２）のデータ領域に保存する。
【００７３】
そして、抽出した変換候補が静止画像であった場合、ディスプレイ（１０１３）の変換候補表示領域に、静止画像を出力する。
＜実施形態２の処理の流れ＞
【００７４】
本実施形態の処理の流れの一例を図１１のフローチャートに示す。
【００７５】
まず、文字変換ソフトを起動する（Ｓ１１０１）。その後、利用者の文字列（変換前文字列）の入力を受け付けると（Ｓ１１０２）、変換前文字列に対応する変換後文字列またはファイルまたは静止画像を変換候補として抽出する（Ｓ１１０３）。
【００７６】
変換候補が静止画像である場合（Ｓ１１０４）、その静止画像データを取り出して、ディスプレイに表示する（Ｓ１１０５）。変換候補が静止画像出ない場合（Ｓ１１０４）、変換後文字列またはファイル文字列をディスプレイに表示する（Ｓ１１０６）。
＜実施形態２の効果＞
【００７７】
本実施形態の携帯端末装置は、文字列を入力するとそれと対応して保存されている静止画像が変換候補として表示される。そして、静止画像を選択すると、メールに添付されたり、全画面表示されたりする。
【００７８】
これにより、利用者は、希望する静止画像を取り出す際、静止画像を保存している複数のファイルの中から希望するファイルを探し出し、そして、そのファイルの中から希望する静止画像を検索するという面倒な操作を行わず、その静止画像と対応する文字列を入力することで、容易に取り出すことが可能となる。
＜＜実施形態３＞＞
＜実施形態３の概要＞
【００７９】
本実施形態の携帯端末装置は、実施形態１、２を基本とし、さらに、待受け画面から変換前文字列を入力し、それに対応する変換候補の文字列やファイルなどをディスプレイに表示することができることを特徴とする。
＜実施形態３の機能的構成＞
【００８０】
図１２に本実施形態における放送受信装置の機能ブロック図の一例を示す。図１２に示すように、本実施形態の「携帯端末装置」（１２００）は、「変換前文字列入力部」（１２０１）、「辞書部」（１２０２）、「変換候補抽出部」（１２０３）、「選択受付部」（１２０４）、「選択実行部」（１２０５）を有し、さらに、「変換前文字列入力部」（１２０１）は、「待受け画面入力手段」を有する。
【００８１】
「辞書部」（１２０２）と、「変換候補抽出部」（１２０３）と、「選択受付部」（１２０４）と、「選択実行部」（１２０５）との機能的構成については、実施形態１などと同様であるので、ここでの詳細な説明は省略する。以下、「変換前文字列入力部」（１２０１）の「待受け画面入力手段」の機能的構成について説明する。
【００８２】
変換前文字列入力部（１２０１）の「待受け画面入力手段」は、待受け画面からの変換前文字列の入力を受付けるよう構成されている。現在、一般的に普及している携帯端末装置は、待受け画面から操作キーを押下すると、数字やアスタリスク記号、シャープ記号などが入力され、画面に表示される。すなわち、待受け画面入力手段は、変換前文字列を、数字やアスタリスク記号、シャープ記号などにより受付けるよう構成されている。そして、数字などにより受付けた変換前文字列を平仮名文字列に置換するよう構成されている。平仮名文字に置換する手段としては、以下のような例が考えられる。例えば、平仮名文字を入力可能な画面で、平仮名文字「お」を入力するためには、利用者は、「１−あ」キーを５回押下することとなる。かかる操作を、数字を入力可能な画面で行うと、「１１１１１」が入力されることとなる。当該関係を利用して、待受け画面入力手段は、入力された数字などの変換前文字列を平仮名文字列に置換するよう構成されてもよい。例えば、「４４４４９９９９６６＊」なる変換前文字列の入力を受付けると、「てれび」と置換する。また、「６＊＊０００４４４」なる変換前文字列の入力を受付けると、「ぱんつ」と置換する。
【００８３】
そして、変換候補抽出部（１２０３）は、待受け画面入力手段が置換した文字列に対応する変換候補を抽出し、変換候補表示領域に出力するよう構成されている。
【００８４】
なお、待受け画面入力手段は、最初に入力された数字に応じて、受付ける変換前文字列の態様（数字入力ｏｒ平仮名入力）を変更するよう構成されていてもよい。具体的には、数字の「０」が入力された場合は、そのまま数字での入力を受付け、数字、アスタリスク記号、シャープ記号などをディスプレイに表示する。一方、数字の「０」以外が入力された場合には、平仮名での入力を受付け、押下された操作キーに対応する平仮名をディスプレイに表示する。
＜実施形態３のハードウェア構成＞
【００８５】
以下、本実施形態を実現する手段の一例を説明する。
【００８６】
まず、利用者が操作キーなどを利用し、待受け画面から、数字列による変換前文字列を入力し、変換指示を入力する。すると、携帯端末装置は、ユーザＩ／Ｆを介して前記信号を取得し、ＲＡＭのデータ領域に保存する。そして、ＲＡＭに展開された置換プログラムに従い、受付けた数字列を文字列に置換する。その後、ＲＡＭに展開された変換候補抽出プログラムに従い、不揮発性メモリに格納された辞書データを利用して置換後の文字列と対応付けられている変換候補を抽出する。
＜実施形態３の処理の流れ＞
【００８７】
本実施形態の処理の流れの一例を図１３のフローチャートに示す。
【００８８】
まず、待受け画面を表示した状態で（Ｓ１３０１）、数字列の入力を受付けた後（Ｓ１３０２）、変換指示信号を取得すると（Ｓ１３０３）、それをトリガに文字変換ソフトを起動する（Ｓ１３０４）。そして、変換前文字列として入力された数字列を文字列に置換する（Ｓ１３０５）。
【００８９】
その後、置換した文字列に対応する変換後文字列またはファイルなどを変換候補として抽出し（Ｓ１３０６）、出力する（Ｓ１３０７）。
＜実施形態３の効果＞
【００９０】
本実施形態の携帯端末装置は、変換前文字列を待受け画面から入力することができる。
【００９１】
これにより、利用者は、待受け画面から直ちに変換前文字列を入力することができ、容易かつ迅速に希望する機能を起動したり、希望するデータを取り出したりすることが可能になる。
＜＜実施形態４＞＞
＜実施形態４の概要＞
【００９２】
本実施形態の携帯端末装置は、実施形態１から３を基本とし、さらに、変換前文字列を入力した際に起動中の機能に応じて、変換候補表示領域に表示する変換候補を絞り込むことを特徴とする。これにより、変換候補表示領域に多数の変換候補が表示され、希望する変換候補を探し出すのに苦労するという不都合を回避できる。
＜実施形態４の機能的構成＞
【００９３】
図１４に本実施形態における放送受信装置の機能ブロック図の一例を示す。図１４に示すように、本実施形態の「携帯端末装置」（１４００）は、「変換前文字列入力部」（１４０１）、「辞書部」（１４０２）、「変換候補抽出部」（１４０３）、「選択受付部」（１４０４）、「選択実行部」（１４０５）、「第一ステータス情報取得部」（１４０６）を有し、さらに、「辞書部」（１４０２）は、「ステータス条件保持手段」を、「変換候補抽出部」（１４０３）は、「ステータス依存抽出手段」を有する。
【００９４】
「変換前文字列入力部」（１４０１）と、「選択受付部」（１４０４）と、「選択実行部」（１４０５）の機能的構成については、実施形態１などと同様であるので、ここでの詳細な説明は省略する。以下、「第一ステータス情報取得部」（１４０６）と、「辞書部」（１４０２）の「ステータス条件保持手段」と、「変換候補抽出部」（１４０３）の「ステータス依存抽出手段」の機能的構成について説明する。
【００９５】
「第一ステータス情報取得部」（１４０６）は、ステータス情報を取得するよう構成されている。「ステータス情報」とは、現在、自装置内で起動している機能を識別する情報である。第一ステータス情報取得部（１４０６）は、入力された変換前文字列に対応する変換候補を抽出する際に、ステータス情報を取得するよう構成されている。そして、第一ステータス情報取得部（１４０６）が取得したステータス情報は、後記する「変換候補抽出部」（１４０３）の「ステータス依存抽出手段」で、変換候補を抽出するために使用される。変換前文字列を入力する際に起動している機能としては、例えば、メールの本文を作成する機能、アドレス帳を編集する機能、撮影写真の名称を変更する機能、メモ帳にメモを記載する機能などが考えられる。また、待受け画面などのポータル画面から変換前文字列を入力する際のように、いかなる機能も起動していない場合も考えられる。第一ステータス情報取得部（１４０６）がステータス情報を取得する具体的手段としては、例えば、携帯端末装置のＯＳのプログラムマネージャーから、実行中のプログラムを示す情報を取得してもよい。
【００９６】
辞書部（１４０２）の「ステータス条件保持手段」は、ステータス条件を保持するよう構成されている。「ステータス条件」とは、入力された変換前文字列に対応している変換候補の中から、実際に変換候補表示領域に出力する変換候補を絞り込むための条件である。具体的には、機能実行ステータスに応じて、変換候補を抽出するよう定めている。その内容としては、図１５のように、変換候補ごとにいずれの機能が起動中に出力されるかを定めておく。例えば、図１５の場合、変換前文字列として「ちちおや」が入力された場合、機能実行ステータスが「メール機能を起動中」であれば、変換候補表示領域には「父親」、「乳おや」などが出力され、「父親写真：ファイル」は出力されない。なお、各変換候補に対するステータス条件は、利用者が編集できてもよい。例えば、新たな変換候補が辞書部（１４０２）に登録される際に、利用者がステータス条件を選択できるよう構成されていてもよい。また、登録後にも、メニュー画面などから各変換候補のステータス条件を編集できてもよい。
【００９７】
変換候補抽出部（１４０３）の「ステータス依存抽出手段」は、第一ステータス情報取得部（１４０６）から取得したステータス情報と、辞書部（１４０２）が保持するステータス条件とを比較し、条件に合う変換候補のみを抽出するよう構成されている。具体的には、ステータス依存抽出手段は、変換候補を抽出する際に、第一ステータス情報取得部（１４０６）からステータス情報を取得する。そして、入力された変換前文字列と対応する変換候補を検索し、検索した変換候補のステータス条件とステータス情報を比較する。そして、条件を満たす変換候補のみ抽出する。なお、先にステータス条件で検索し、その後、入力文字列に対応する変換候補を検索してもよい。
＜実施形態４のハードウェア構成＞
【００９８】
以下、図１６を用いて、本実施形態を実現する手段の一例を説明する。
【００９９】
まず、利用者が操作キーなどを利用し、変換前文字列を入力する。すると、携帯端末装置は、ユーザＩ／Ｆ（１６０５）を介して文字列入力信号を取得し、ＲＡＭ（１６０２）のデータ領域に保存する。次に、ＲＡＭ（１６０２）に展開されたステータス情報取得プログラムに従い、現在起動中の機能を識別し、ステータス情報としてＲＡＭ（１６０２）のデータ領域に保存する。
【０１００】
そして、ＲＡＭ（１６０２）に展開された変換候補抽出プログラムに従い、不揮発性メモリ（１６０３）に格納された辞書データを利用して、入力文字列と対応付けられている変換候補を抽出し、ＲＡＭ（１６０２）のデータ領域に保存する。その後、ＲＡＭ（１６０２）に展開されたステータス依存抽出プログラムに従い、ＲＡＭ（１６０２）のデータ領域に保存してある変換候補のステータス条件とステータス情報とを比較処理し、条件をみたす変換候補のみ抽出する。そして、抽出した変換候補をディスプレイ（１６１３）に出力する。
＜実施形態４の処理の流れ＞
【０１０１】
本実施形態の処理の流れの一例を図１７のフローチャートに示す。
【０１０２】
まず、文字変換ソフトを起動する（Ｓ１７０１）。その後、利用者の文字列（変換前文字列）の入力を受け付けると（Ｓ１７０２）、ステータス情報を取得する（Ｓ１７０３）。
【０１０３】
その後、変換前文字列に対応する変換後文字列またはファイルを変換候補として抽出する（Ｓ１７０４）。そして、抽出した変換後文字列またはファイルのステータス条件とステータス情報を比較する（Ｓ１７０５）。その後、条件を満たす変換候補を抽出し（Ｓ１７０６）、出力する（Ｓ１７０７）。
＜実施形態４の効果＞
【０１０４】
本実施形態の携帯端末装置は、起動中の機能に応じて、適当な変換候補のみを画面に表示することができる。これにより、変換候補表示領域に多数の変換候補が表示され、希望する変換候補を探し出すのに苦労するという不都合を回避できる。
＜＜実施形態５＞＞
＜実施形態５の概要＞
【０１０５】
本実施形態の携帯端末装置は、実施形態１から４を基本とし、さらに、変換候補表示領域に表示されている変換候補の中から一つを選択入力した場合、その際に起動中の機能に応じて実行する機能を決定することを特徴とする。
＜実施形態５の機能的構成＞
【０１０６】
図１８に本実施形態における放送受信装置の機能ブロック図の一例を示す。図１８に示すように、本実施形態の「携帯端末装置」（１８００）は、「変換前文字列入力部」（１８０１）、「辞書部」（１８０２）、「変換候補抽出部」（１８０３）、「選択受付部」（１８０４）、「選択実行部」（１８０５）、「第二ステータス情報取得部」（１８０７）を有し、さらに、「選択実行部」（１８０２）は、「実行プロセス決定手段」を有する。
【０１０７】
「変換前文字列入力部」（１８０１）と、「辞書部」（１８０２）と、「変換候補抽出部」（１８０３）と、「選択受付部」（１８０４）の機能的構成については、実施形態１などと同様であるので、ここでの詳細な説明は省略する。以下、「第二ステータス情報取得部」（１８０７）と、「選択実行部」（１８０２）の「実行プロセス決定手段」の機能的構成について説明する。
【０１０８】
「第二ステータス情報取得部」（１８０７）は、実施形態４で説明した第一ステータス情報取得部と同様に、自装置内での機能の実行状態を示す情報であるステータス情報を取得するよう構成されている。しかし、第二ステータス情報取得部（１８０７）は、選択された変換候補に対して選択実行部（１８０５）で所定のプロセスを実行する際に、ステータス情報を取得する点で、第一ステータス情報取得部とは異なる。第二ステータス情報取得部（１８０７）が取得したステータス情報は、後記する「選択実行部」（１８０５）の「実行プロセス決定手段」で、実行するプロセスを決定するために使用される。
【０１０９】
「選択実行部」（１８０２）の「実行プロセス決定手段」は、選択された選択候補に対して実行すべきプロセスをステータス情報に応じて決定するよう構成されている。「実行すべきプロセス」とは、選択候補が文字列である場合はその文字列を出力するプロセスであり、ファイルである場合にはそのファイルを実行するプロセスであり、静止画像である場合にはその静止画像を出力するプロセスなどである。「ステータス情報に応じて決定する内容」としては、例えば、静止画像が選択された時のステータス情報が「メールの本文を作成する機能を起動中」であった場合、実行プロセス決定手段は、静止画像をメールに添付するプロセスを決定し、ステータス情報が「アドレス編集機能を起動中」であった場合は、静止画像をディスプレイいっぱいに出力するプロセスを決定するなどでもよい。
【０１１０】
＜実施形態５のハードウェア構成＞
【０１１１】
以下、図１６を用いて、本実施形態を実現する手段の一例を説明する。
【０１１２】
まず、利用者が操作キーなどを利用し、変換前文字列を入力する。すると、携帯端末装置は、ユーザＩ／Ｆ（１６０５）を介して文字列入力信号を取得し、ＲＡＭ（１６０２）のデータ領域に保存する。そして、ＲＡＭ（１６０２）に展開された変換候補抽出プログラムに従い、不揮発性メモリ（１６０３）に格納された辞書データを利用して変換候補を抽出し、ディスプレイ（１６１３）に出力する。
【０１１３】
その後、利用者が操作キーなどを利用し、変換候補の選択を入力すると、携帯端末装置は、ユーザＩ／Ｆ（１６０５）を介して選択入力信号を取得し、ＲＡＭ（１６０２）のデータ領域に保存する。そして、ＲＡＭ（１６０２）に展開された変換候補識別プログラムに従い、選択された変換候補を識別する。
【０１１４】
そして、ＲＡＭ（１６０２）に展開されたステータス情報取得プログラムに従い、現在起動中の機能を識別し、ステータス情報としてＲＡＭ（１６０２）のデータ領域に保存する。その後、ＲＡＭ（１６０２）に展開された実行プロセス決定プログラムに従い、ＲＡＭ（１６０２）に保存したステータス情報に応じて実行すべきプロセスを決定し、決定内容をＲＡＭ（１６０２）のデータ領域に保存する。そして、前記決定内容に従って、該当する実行プログラムを取り出し、選択された変換候補に対してプロセスを実行する。
＜実施形態５の処理の流れ＞
【０１１５】
本実施形態の処理の流れの一例を図１９のフローチャートに示す。
【０１１６】
まず、文字変換ソフトを起動する（Ｓ１９０１）。その後、利用者の文字列（変換前文字列）の入力を受け付けると（Ｓ１９０２）、変換前文字列に対応する変換候補を抽出して出力する（Ｓ１９０３）。
【０１１７】
その後、利用者の変換候補の選択を受け付ける（Ｓ１９０４）。そして、ステータス情報を取得する（Ｓ１９０５）。そして、ステータス情報に応じて、選択候補に実行すべきプロセスを決定し（Ｓ１９０６）、決定したプロセスを実行する（Ｓ１９０７）。
＜実施形態５の効果＞
【０１１８】
本実施形態の携帯端末装置は、起動中の機能に応じて、選択された変換候補に対して実行するプロセスを決定することができる。これにより、利用者が面倒な操作をして実行するプロセスを決定することなく、使用態様に応じて適切なプロセスを実行することが可能となる。
＜＜実施形態６＞＞
＜実施形態６の概要＞
【０１１９】
本実施形態の携帯端末装置は、実施形態１から５を基本とし、さらに、利用者の過去の選択に応じて変換候補を重み付けし、変換候補を変換候補表示領域に出力する際、前記重み付けを利用して表示する順番を決定することを特徴とする。
＜実施形態６の機能的構成＞
【０１２０】
図２０に本実施形態における放送受信装置の機能ブロック図の一例を示す。図２０に示すように、本実施形態の「携帯端末装置」（２０００）は、「変換前文字列入力部」（２００１）、「辞書部」（２００２）、「変換候補抽出部」（２００３）、「選択受付部」（２００４）、「選択実行部」（２００５）を有し、さらに、「変換候補抽出部」（２００３）は、「重付手段」を有する。
【０１２１】
「変換前文字列入力部」（２００１）、「辞書部」（２００２）、「選択受付部」（２００４）、「選択実行部」（２００５）の機能的構成については、実施形態１などと同様であるので、ここでの詳細な説明は省略する。以下、「変換候補抽出部」（２００３）の「重付手段」の機能的構成について説明する。
【０１２２】
変換候補抽出部（２００３）の「重付手段」は、選択受付部（２００４）での選択の受付に応じて変換候補に変換候補の出力に関して重み付けを行うよう構成されている。「選択の受付に応じて」とは、選択された回数（選択カウント）に応じてという意味である。重付手段は、選択カウントの多い変換候補を重要変換候補とし、選択カウントの少ない変換候補をあまり重要でない変換候補として重み付けするよう構成されている。そして、変換候補抽出部（２００３）は、前記重み付けを利用して、変換候補を出力するよう構成されている。なお、前記機能を実現する手段としては、辞書部（２００２）は、変換候補ごとに選択カウントを関連付けて保持し、重付手段は、それを利用して重み付けをしてもよい。
【０１２３】
＜実施形態６のハードウェア構成＞
【０１２４】
以下、図２１を用いて、本実施形態を実現する手段の一例を説明する。
＜＜重み付け前準備＞＞
【０１２５】
不揮発性メモリ（２１０３）に格納されている辞書データから抽出され、ディスプレイ（２１１３）に出力されている複数の変換候補の中から、利用者の選択入力を受け付ける。すると、ＲＡＭ（２１０２）に展開された文字出力プログラムまたはファイル実行プログラムに従い、選択された変換候補に所定のプロセスを実行する。また、ＲＡＭ（２１０２）に展開された重付プログラムに従い、ＲＡＭ（２１０２）のデータ領域に保存されている変換候補の中から、選択された変換候補を識別し、選択カウントを１増やす。
＜＜重み付け抽出手段＞＞
【０１２６】
まず、利用者が操作キーなどを利用し、変換前文字列を入力する。すると、携帯端末装置は、ユーザＩ／Ｆ（２１０５）を介して文字列入力信号を取得し、ＲＡＭ（２１０２）のデータ領域に保存する。そして、ＲＡＭ（２１０２）に展開された変換候補抽出プログラムに従い、不揮発性メモリ（２１０３）に格納された辞書データを利用して入力文字列と対応付けられている変換候補を抽出し、ＲＡＭ（２１０２）のデータ領域に保存する。その後、ＲＡＭ（２１０２）に展開された重付プログラムに従い、抽出した変換候補を選択カウント順に並び変える。そして、並び変えた順番で、変換候補をディスプレイ（２１１３）に出力する。
＜実施形態６の処理の流れ＞
【０１２７】
本実施形態の処理の流れの一例を図２２のフローチャートに示す。
【０１２８】
まず、文字変換ソフトを起動する（Ｓ２２０１）。その後、利用者の文字列（変換前文字列）の入力を受け付けると（Ｓ２２０２）、変換前文字列に対応する変換後文字列またはファイルを変換候補として抽出する（Ｓ２２０３）。
【０１２９】
その後、抽出した変換候補を選択カウント順に並び変える（Ｓ２２０４）。そして、並び変えた順で変換候補を出力する（Ｓ２２０５）。
＜実施形態６の効果＞
【０１３０】
本実施形態の携帯端末措置は、変換前文字列に対応する変換候補が複数ある場合には、過去に選択された回数の多い順に変換候補を表示することができる。
【０１３１】
一般的に、利用者は同じ文字列や同じファイルを繰り返し使用する機会が比較的多いことから、本実施形態の携帯端末装置を使用することで、複数の変換候補の中から希望する変換候補を比較的早く見つけることが可能となる。
＜＜実施形態７＞＞
＜実施形態７の概要＞
【０１３２】
本実施形態の携帯端末措置は、実施形態１から６を基本とし、さらに、変換前文字列とそれに対応する変換候補を保持する辞書部を編集可能であることを特徴とする。
＜＜実施形態７−１＞＞
＜実施形態７−１の概要＞
【０１３３】
本実施形態の携帯端末装置は、保存したＴＶ放送のキャプチャ画像を変換候補とし、キャプチャ画像に関連する文字列（例：「番組名」「放送日時」）をＥＰＧから取得して変換前文字列とし、辞書部に登録することを特徴とする。
【０１３４】
これにより、利用者は、キャプチャ画像に関連する文字列（例：「番組名」「放送日時」）を変換前文字列として入力することで、容易に希望するキャプチャ画像を変換候補として取り出すことが可能となる。
＜実施形態７−１の機能的構成＞
【０１３５】
図２３に本実施形態における放送受信装置の機能ブロック図の一例を示す。図２３に示すように、本実施形態の「携帯端末装置」（２３００）は、「変換前文字列入力部」（２３０１）、「辞書部」（２３０２）、「変換候補抽出部」（２３０３）、「選択受付部」（２３０４）、「選択実行部」（２３０５）、「ＴＶ放送受信部」（２３０８）、「画像キャプチャ部」（２３０９）、「第一編集部」（２３１０）を有し、さらに、「第一編集部」（２３１０）は、「ＥＰＧ取得手段」を有する。
【０１３６】
「変換前文字列入力部」（２３０１）、「辞書部」（２３０２）、「変換候補抽出部」（２３０３）、「選択受付部」（２３０４）、「選択実行部」（２３０５）の機能的構成については、実施形態１などと同様であるので、ここでの詳細な説明は省略する。以下、「ＴＶ放送受信部」（２３０８）と、「画像キャプチャ部」（２３０９）と、「第一編集部」（２３１０）と、「第一編集部」（２３１０）の「ＥＰＧ取得手段」の機能的構成について説明する。
【０１３７】
「ＴＶ放送受信部」（２３０８）は、ＴＶチューナを介して、ＴＶ放送波を受信するよう構成されている。ＴＶ放送受信部（２３０８）が受信する放送波は、本放送に限らず、データ放送をも含む。
【０１３８】
「画像キャプチャ部」（２３０９）は、ＴＶ画像をキャプチャするよう構成されている。画像キャプチャ部（２３０９）がキャプチャした画像は、名称を付されて、不揮発性メモリなどに保存される。
【０１３９】
「第一編集部」（２３１０）は、辞書部（２３０２）を編集するよう構成されている。「編集」とは、辞書部（２３０２）が変換前文字列と変換候補を対応付けて保持しているデータの内容を変更したり、消去したり、または、新たな変換前文字列と変換候補を登録したりすることをいう。なお、「編集」の概念は、以下で説明する「第二編集部」、「第三編集部」、「第四編集部」についても同様である。
【０１４０】
第一編集部（２３１０）の「ＥＰＧ取得手段」は、辞書部（２３０２）に変換候補としてキャプチャ画像が登録される場合には、そのキャプチャ画像に関連付けられたＥＰＧから変換前文字列を取得するよう構成されている。「キャプチャ画像に関連付けられたＥＰＧ」とは、ＥＰＧに含まれる多数の情報の中の、キャプチャした画像に特有の番組に関するＥＰＧ情報をさす。例えば、利用者が、「２００７年１０月３１日（水）１９時００分〜１９時５４分」に「７ＣＨ」で放送されたバラエティ「水曜日バンザイ」の画像をキャプチャし、キャプチャ画像を変換候補として辞書部（２３０２）に登録する場合、ＥＰＧ取得手段は、ＥＰＧより、変換前文字列として、放送日「２００７年１０月３１日」、放送時間「１９時００分から１９時５４分」、放送日時「２００７年１０月３１日（水）１９時００分〜１９時５４分」、放送局「７ＣＨ」、ジャンル「バラエティ」、番組名「水曜日バンザイ」、出演者「Ａさん、Ｂさん、・・・」、番組概要「今日の見どころは、・・・」などを取得する。そして、第一編集部（２３１０）は、ＥＰＧ取得手段で取得した変換前文字列をキャプチャ画像と対応させて辞書部（２３０２）に登録するよう構成されている。
＜＜実施形態７−２＞＞
＜実施形態７−２の概要＞
【０１４１】
本実施形態の携帯端末装置は、アドレス帳に記録された文字列（例：Ａさんの電話番号、Ａさんのメールアドレス）を変換候補とし、関連のある他の文字列（例：Ａさんの名称）を変換前文字列として、辞書部に登録することを特徴とする。
【０１４２】
これにより、例えば、ある人物の名前を変換前文字列として入力することで、容易に、その人物の詳細情報を変換候補として表示することが可能となる。
＜実施形態７−２の機能的構成＞
【０１４３】
図２４に本実施形態における放送受信装置の機能ブロック図の一例を示す。図２４に示すように、本実施形態の「携帯端末装置」（２４００）は、「変換前文字列入力部」（２４０１）、「辞書部」（２４０２）、「変換候補抽出部」（２４０３）、「選択受付部」（２４０４）、「選択実行部」（２４０５）、「携帯電話部」（２４１１）、「アドレス帳管理部」（２４１２）、「第二編集部」（２４１３）を有し、さらに、「第二編集部」（２４１３）は、「アドレス帳文字列取得手段」を有する。
【０１４４】
「変換前文字列入力部」（２４０１）、「辞書部」（２４０２）、「変換候補抽出部」（２４０３）、「選択受付部」（２４０４）、「選択実行部」（２４０５）の機能的構成については、実施形態１などと同様であるので、ここでの詳細な説明は省略する。以下、「携帯電話部」（２４１１）と、「アドレス帳管理部」（２４１２）と、「第二編集部」（２４１３）と、「第二編集部」（２４１３）の「アドレス帳文字列取得手段」の機能的構成について説明する。
【０１４５】
「携帯電話部」（２４１１）は、他の携帯電話などとの通話を制御するよう構成されている。
【０１４６】
「アドレス帳管理部」（２４１２）は、内部メモリに保存しているアドレス帳を管理するよう構成されている。「管理」とは、アドレス帳に新規内容を記録したり、消去したり、内容を変更したりする処理をいう。アドレス帳に記録可能な項目としては特段制限されず、例えば、「名称」、「ニックネーム」、「携帯電話番号」、「自宅電話番号」、「勤務先電話番号」、「ＦＡＸ番号」、「携帯メールアドレス」、「ＰＣメールアドレス」、「ＩＰアドレス」、「ホームページＵＲＬ」、「自宅住所」、「勤務先住所」、「誕生日」、「血液型」、「グループ名」、「メモ」、「出身地」など、多岐に渡る。なお、前記項目は一例であり、その他の項目が記録可能でもよい。
【０１４７】
「第二編集部」（２４１３）は、辞書部（２４０２）を編集するよう構成されている。詳細については、第一編集部と同様であるので、ここでの詳細な説明は省略する。
【０１４８】
第二編集部（２４１３）の「アドレス帳文字列取得手段」は、変換候補としてアドレス帳に記録されている文字列（例：「ニックネーム」、「携帯電話番号」）を登録する場合には、変換前文字列として、その文字列に関連付けられた他の文字列（例：「名称」「誕生日」）をアドレス帳から取得するよう構成されている。「変換候補の文字列に関連付けられた他の文字列」とは、多数の人物の情報を記録しているアドレス帳の中の、ある特定の人物に関連して記録されている文字列をさす。そして、第二編集部（２４１３）は、図２５に示すように、アドレス帳文字列取得手段で取得した他の文字列を変換前文字列として、辞書部（２４１２）に登録するよう構成されている（２５０１）。
【０１４９】
なお、第二編集部（２４１３）は、アドレス帳に記録された電話番号、メールアドレス、ＵＲＬなどを属性情報として、適切なファイル（例：電話機能プログラムファイル、メール作成プログラムファイル、ＷＥＢ閲覧プログラムファイル）と関連付けた変換候補として辞書部に登録できてもよい（２５０２）。かかる場合も、「アドレス帳文字列取得手段」は、変換前文字列として、属性情報の文字列に関連付けられた他の文字列（例：「名称」「ニックネーム」）をアドレス帳から取得するよう構成されていてもよい。
＜＜実施形態７−３＞＞
＜実施形態７−３の概要＞
【０１５０】
本実施形態の携帯端末装置は、取得した静止画像や、静止画像を保存しているデータファイルを変換候補とし、ＧＰＳから取得したその静止画像に関連する文字列（例：「地名」）を変換前文字列として、辞書部に登録することを特徴とする。
【０１５１】
これにより、利用者は、保存している静止画像の関連文字列（例：「撮影した地名」「住所」）を変換前文字列として入力することで、容易に変換候補として希望する静止画像や、静止画像を保存しているデータファイルを取り出すことが可能となる。
＜実施形態７−３の機能的構成＞
【０１５２】
図２６に本実施形態における放送受信装置の機能ブロック図の一例を示す。図２６に示すように、本実施形態の「携帯端末装置」（２６００）は、「変換前文字列入力部」（２６０１）、「辞書部」（２６０２）、「変換候補抽出部」（２６０３）、「選択受付部」（２６０４）、「選択実行部」（２６０５）、「写真保持部」（２６１４）、「第三編集部」（２６１５）を有し、さらに、「第三編集部」（２６１５）は、「第一地理的情報取得手段」を有する。なお、さらに、「第四編集部」（２６１６）を有し、「第四編集部」（２６１６）は、「第二地理的情報取得手段」を有してもよい。
【０１５３】
「変換前文字列入力部」（２６０１）、「辞書部」（２６０２）、「変換候補抽出部」（２６０３）、「選択受付部」（２６０４）、「選択実行部」（２６０５）の機能的構成については、実施形態１などと同様であるので、ここでの詳細な説明は省略する。以下、「写真保持部」（２６１４）と、「第三編集部」（２６１５）と、「第四編集部」（２６１６）と、「第三編集部」（２６１５）の「第一地理的情報取得手段」と、「第四編集部」（２６１６）の「第二地理的情報取得手段」の機能的構成について説明する。
【０１５４】
「写真保持部」（２６１４）は、ＧＰＳ情報と関連付けて写真を取得し写真ファイルを保持するよう構成されている。「写真を取得」とは、カメラ機能を利用して写真を撮影し取得するほか、Ｗｅｂ上からダウンロードなどにより写真を取得したり、他の外部機器などから通信により写真を取得したりする場合も含む。「ＧＰＳ情報と関連付けて写真を取得し写真ファイルを保持」とは、写真を取得した際に、写真を取得した場所を特定するＧＰＳ情報を取得し、取得した写真とＧＰＳ情報を関連付けて保持することをいう。なお、写真保持部（２６１４）は、Ｗｅｂ上や他の外部機器から取得した写真に、取得した段階でＧＰＳ情報が関連付けられていた場合には、そのＧＰＳ情報もそのまま保持するよう構成されてもよい。
【０１５５】
「第三編集部」（２６１５）は、辞書部（２６０２）を編集するよう構成されている。詳細については、第一編集部と同様であるので、ここでの詳細な説明は省略する。
【０１５６】
第三編集部（２６１５）の「第一地理的情報取得手段」は、変換候補として「写真を保存しているデータファイル」を登録する場合には、変換前文字列として、そのファイルに保存されている写真と関連付けて保持されているＧＰＳ情報、または、ＧＰＳ情報に基づいて取得できる地理的情報を取得するよう構成されている。「ＧＰＳ情報」とは、緯度、経度などにより位置を特定する情報であり、「地理的情報」とは、住所や地名などにより位置を特定する情報である。第一地理的情報取得手段は、写真保持部（２６１４）で写真データと関連付けて保持されているＧＰＳ情報を取得し、そのＧＰＳ情報を利用して地理的情報を取得するよう構成されている。なお、データファイルの中に複数の写真が保存されている場合、第一地理的情報取得手段は、すべての写真のＧＰＳ情報を取得するよう構成されていてもよい。または、すべての写真に共通するＧＰＳ情報をのみを取得するよう構成されていてもよい。さらに、各写真に登録番号が付されている場合は最も小さい番号の写真のＧＰＳ情報のみを取得するよう構成されていてもよい。
【０１５７】
地理的情報の取得手段としては、例えば、第一地理的情報取得手段は、取得したＧＰＳ情報を外部のサーバなどに送信し、外部サーバなどが演算処理により求めた地理的情報を取得するよう構成されていてもよい。または、第一地理的情報取得手段は、地理的情報を演算処理により求めるための地図データなどを保持しておき、取得したＧＰＳ情報と地図データを利用して、演算処理により地理的情報を取得するよう構成されていてもよい。
【０１５８】
そして、第三編集部（２６１５）は、第一地理的情報取得手段で取得した地理的情報に含まれる文字列（例：地名、住所）を変換前文字列として、写真データファイルと対応させて辞書部（２６０２）に登録するよう構成されている。
【０１５９】
「第四編集部」（２６１６）は、辞書部（２６０２）を編集するよう構成されている。詳細については、第一編集部と同様であるので、ここでの詳細な説明は省略する。
【０１６０】
第四編集部（２６１６）の「第二地理的情報取得手段」は、変換候補として取得した写真を登録する場合には、変換前文字列として、その写真と関連付けて保持されているＧＰＳ情報、または、ＧＰＳ情報に基づいて取得できる地理的情報を取得するよう構成されている。詳細については、第一地理的情報取得手段と同様であるので、ここでの詳細な説明は省略する。第四編集部（２６１６）は、第二地理的情報取得手段で取得した地理的情報に含まれる文字列（例：地名、住所）を変換前文字列として、取得した写真と対応させて辞書部（２６０２）に登録するよう構成されている。
【０１６１】
なお、辞書部（２６０２）は、前記以外の手段でも、変換前文字列と変換候補を対応付けたデータを取得し保持できるよう構成されてもよい。例えば、外部のサーバなどに保存されているスケジュールデータを、インターネットなどを利用して取得し、そのスケジュールデータの所有者の名称（例：「Ａさん」）を変換前文字列として、スケジュール内容（例：「２００７年１０月２９日（月）１０時定例会議」、「２００７年１０月２９日（火）ブランク」）を変換候補として保持できるよう構成されてもよい。また、日時（例：「２００７年１０月２９日（火）」）を属性情報として、ファイル（例：スケジュール編集プログラムファイル）と関連付けた変換候補として保持できてもよい。かかる場合、当該ファイルを選択することで、属性情報で特定される日時のスケジュールを編集できてもよい。
【０１６２】
ここで、前記は、ＧＰＳデータと関連付けて保持されている「写真データ」または「写真ファイル」を変換候補として辞書部（２６０２）に登録する手段について説明したが、その他、ＧＰＳデータと関連付けて保持されている「動画データ（撮影動画、ダウンロード動画、ＴＶ放送データなど）」、「音声データ（通話録音、ダウンロード音楽、録音メッセージ、など）」、「テキストデータ（ダウンロードテキスト、保存メッセージ、メール、アドレス帳、など）」、またはこれらを保存しているファイルなども同様の手段で辞書部（２６０２）に登録されてもよい。また、ＧＰＳデータと関連付けて保持されている「利用履歴（メール送受信、着信・発信履歴、電子マネー利用履歴、など）」またはこれらを保存しているファイルも前記と同様の手段で辞書部（２６０２）に登録されてもよい。
【０１６３】
その他、デジタル放送波やＷＥＢ上からＥＰＧを取得し、特定日付の特定の番組ごとに、ＥＰＧ情報に含まれる項目（例：「放送日」、「放送時間」、「番組名」、「放送局」、「ジャンル」、「出演者」、「番組概要」）を、変換前文字列、変換候補として対応付けて保持できてもよい。また、特定日付の番組ＩＤを属性情報として、ファイル（例：ＴＶ視聴プログラムファイル、ＴＶ録画プログラムファイル）と関連付けた変換候補として保持できてもよい。かかる場合、当該ファイルを選択することで、属性情報で特定される番組の録画予約ができたり、放送を視聴できたりしてもよい。
【０１６４】
その他、ＷＥＢ上で開示されている辞書や百科事典の内容を取得して、項目名を変換前文字列とし、その項目の詳細情報を変換候補として保持できてもよい。
【０１６５】
また、辞書部（２６０２）のデータは利用者が編集可能に構成されていてもよい。すなわち、内部メモリに保存してある静止画像データ、動画像データ、音声データ、テキストデータなどを変換候補として辞書部（２６０２）に登録できてもよい。かかる場合、関連付ける変換前文字列は、利用者が自由に設定できてもよい。
【０１６６】
さらに、辞書部（２６０２）のデータは、外部メモリに保存したり、メールに添付して送信したりできるよう構成されていてもよい。そして、当該データを取得した他の携帯端末装置は、取得したデータを自己の辞書部（２６０２）で保持し、前記と同様に活用できるよう構成されていてもよい。
＜実施形態７のハードウェア構成＞
【０１６７】
以下、図２７を用いて、本実施形態を実現する手段の一例を説明する。
【０１６８】
キャプチャ画像を辞書登録する操作信号をユーザＩ／Ｆ（２７０２）を介して取得すると、ＲＡＭ（２７０２）に展開されたキャプチャ画像登録プログラムに従い、登録するキャプチャ画像を認識する。そして、キャプチャ画像に関連付けて保存されている詳細属性情報を取得し、キャプチャ画像を放送した番組のＩＤを取得し、ＲＡＭ（２７０２）のデータ領域に保存する。すると、ＲＡＭ（２７０２）に展開されたＥＰＧ取得プログラムに従い、ＲＡＭ（２７０２）に保存されている番組ＩＤに関するＥＰＧデータを取得する。その後、ＥＰＧデータに含まれる「番組名」「放送時間」「放送局」「番組概要」「出演者」「ジャンル」などの項目内容を取得し、ＲＡＭ（２７０２）に保存する。
【０１６９】
その後、ＲＡＭ（２７０２）に展開されたキャプチャ画像登録プログラムに従い、前記項目内容を変換前文字列とし、キャプチャ画像を変換候補として関連付け、不揮発性メモリ（２７０２）に格納された辞書データに保存する。
＜実施形態７の処理の流れ＞
【０１７０】
本実施形態の処理の流れの一例を図２８のフローチャートに示す。
【０１７１】
キャプチャ画像を辞書登録する操作信号を取得する（Ｓ２８０１）。すると、キャプチャ画像の番組ＩＤを取得する（Ｓ２８０２）。そして、識別した番組のＥＰＧ情報を取得する（Ｓ２８０３）。その後、取得したＥＰＧ情報から項目内容を取り出す（Ｓ２８０４）。
【０１７２】
そして、各項目内容を変換前文字列とし（Ｓ２８０５）、キャプチャ画像を変換候補として辞書データに保存する（Ｓ２８０６）。
＜実施形態７の効果＞
【０１７３】
本実施形態の携帯端末装置は、撮影写真などの保存データを、外部メディアなどから取得した情報と関連づけて、辞書部に登録することが可能である。これにより、利用者は、面倒な操作なしに、容易に辞書部を編集し、容易に希望する保存データなどを取り出すことが可能となる。
＜＜実施形態８＞＞
＜実施形態８の概要＞
【０１７４】
本実施形態の携帯端末装置は、実施形態１から７を基本とし、さらに、変換候補をカテゴライズして保持し、出力することができることを特徴とする。
【０１７５】
これにより、変換候補表示領域に多数の変換候補が表示され、希望する変換候補を探し出すのに苦労するという不都合を回避できる。
＜実施形態８の機能的構成＞
【０１７６】
図２９に本実施形態における放送受信装置の機能ブロック図の一例を示す。図２９に示すように、本実施形態の「携帯端末装置」（２９００）は、「変換前文字列入力部」（２９０１）、「辞書部」（２９０２）、「変換候補抽出部」（２９０３）、「選択受付部」（２９０４）、「選択実行部」（２９０５）、を有し、さらに、「変換候補抽出部」（２９０３）は、「カテゴライズ手段」を有する。また、「変換候補抽出部」（２９０３）は、「カテゴリー選択命令受付手段」を有してもよい。
【０１７７】
「変換前文字列入力部」（２９０１）、「辞書部」（２９０２）、「選択受付部」（２９０４）、「選択実行部」（２９０５）の機能的構成については、実施形態１などと同様であるので、ここでの詳細な説明は省略する。以下、「変換候補抽出部」（２９０３）の「カテゴライズ手段」と、「カテゴリー選択命令受付手段」の機能的構成について説明する。
【０１７８】
「変換候補抽出部」（２９０３）の「カテゴライズ手段」は、変換候補をカテゴライズして出力するよう構成されている。「カテゴライズ」の態様としては、例えば、変換候補を「文字列」と「ファイル」にカテゴライズしてもよいし、さらに、「ファイル」を「データファイル」と「プログラムファイル」にカテゴライズしてもよい。また、変換候補の頭文字に応じて、「日本語」、「数字」、「アルファベット」にカテゴライズしてもよい。さらに、変換候補の頭文字の読みに応じて、「あ行」「か行」・・・・「わ行」のようにカテゴライズしてもよい。また、ＥＰＧから情報を取得して登録された変換候補は「ＥＰＧ辞書」、ＧＰＳから情報を取得して登録された変換候補は「ＧＰＳ辞書」、インターネット百科事典から情報を取得して登録された変換候補は「百科事典辞書」などのようにカテゴライズしてもよい。カテゴライズ手段は、利用者が選択したカテゴリーを識別可能に構成しておき、変換前文字列が入力された際には、該当するカテゴリーの変換候補のみを抽出して出力するよう構成されている。
【０１７９】
「変換候補抽出部」（２９０３）の「カテゴリー選択命令受付手段」は、カテゴリー選択命令を受け付けるよう構成されている。「カテゴリー選択命令」とは、入力された変換前文字列に対応する複数の変換候補のうち、いずれのカテゴリーの変換候補を変換候補表示領域に出力するか定めるものである。「カテゴリー選択命令受付手段」は、利用者が入力したカテゴリー選択命令を識別可能に構成されている。ここで、利用者がカテゴリー選択命令を入力する手段としては、例えば、図３０（Ａ）に示すように、ディスプレイにカテゴリーを選択するためのタグなどがあり（３０Ａ０１）、それを選択することで入力できてもよい。または、図３０（Ｂ）に示すように、カテゴリー入力を識別するための記号（カテゴリー記号）を定めておき（例：※）、カテゴリー記号（３０Ｂ０１）の前に変換前文字列（３０Ｂ０２）を入力し、カテゴリー記号（３０Ｂ０１）の後ろにカテゴリーを識別する文字列（３０Ｂ０３）（カテゴリーＩＤ）を入力することで、カテゴリー選択命令を入力できてもよい。
【０１８０】
＜実施形態８のハードウェア構成＞
【０１８１】
以下、図３１を用いて、本実施形態を実現する手段の一例を説明する。
【０１８２】
まず、利用者が操作キーなどを利用し、文字列を入力する。すると、携帯端末装置は、ユーザＩ／Ｆ（３１０５）を介して入力信号を取得し、ＲＡＭ（３１０２）のデータ領域に保存する。そして、ＲＡＭ（３１０２）に展開されたカテゴリー出力プログラムに従い、取得した入力文字列を解析し、カテゴリー記号が入力されていないか判断する。
【０１８３】
カテゴリー記号が入力されていないと判断した場合、入力された文字列を変換前文字列として認識する。そして、ＲＡＭ（３１０２）に展開された変換候補抽出プログラムに従い、不揮発性メモリ（３１０３）に格納された辞書データを利用して変換前文字列と対応付けられている変換候補を抽出し、ＲＡＭ（３１０２）のデータ領域に保存する。
【０１８４】
一方、カテゴリーを定める記号が入力されていると判断した場合、ＲＡＭ（３１０２）に展開されたカテゴリー出力プログラムに従い、記号の前に入力された文字列を変換前文字列として認識し、後ろに入力された文字列をカテゴリーＩＤとして認識する。そして、ＲＡＭ（３１０２）に展開された変換候補抽出プログラムに従い、不揮発性メモリ（３１０３）に格納された辞書データを利用して変換前文字列と対応付けられている変換候補を抽出し、ＲＡＭ（３１０２）のデータ領域に保存する。その後、カテゴリー出力プログラムに従い、抽出した変換候補のカテゴリーＩＤと、入力されたカテゴリーＩＤを比較し、同じカテゴリーＩＤの変換候補のみを抽出する。そして、抽出した変換候補をディスプレイ（３１１３）に出力する。
＜実施形態８の処理の流れ＞
【０１８５】
本実施形態の処理の流れの一例を図３２のフローチャートに示す。
【０１８６】
まず、文字変換ソフトを起動する（Ｓ３２０１）。その後、利用者の文字列の入力を受け付けると（Ｓ３２０２）、入力文字列にカテゴリー記号が含まれるか確認する（Ｓ３２０３）。
【０１８７】
入力文字列にカテゴリー記号が含まれない場合は、入力文字列を変換前文字列として認識し（Ｓ３２０４）、変換候補を抽出（Ｓ３２０５）、出力する（Ｓ３２０６）。一方、入力文字列にカテゴリー記号が含まれている場合は（Ｓ３２０３）、カテゴリー記号の前に入力された文字列を変換前文字列として認識し、カテゴリー記号の後ろに入力された文字列をカテゴリーＩＤとして認識する（Ｓ３２０７）。そして、変換前文字列に対応する変換候補を抽出する（Ｓ３２０８）。
【０１８８】
その後、変換候補のカテゴリーＩＤと入力されたカテゴリーＩＤを比較する。そして、入力されたカテゴリーに属する変換候補を抽出し（Ｓ３２０９）、出力する（Ｓ３２１０）。
＜実施形態８の効果＞
【０１８９】
本実施形態の携帯端末装置は、多数の変換候補をカテゴライズして出力することができる。これにより、利用者は、希望する変換候補のみをディスプレイに表示させることができ、多数の変換候補が表示され、その中から希望する変換候補を探し出すという面倒な作業を行わずにすむ。
＜＜実施形態９＞＞
＜実施形態９の概要＞
【０１９０】
本実施形態の携帯端末装置は、実施形態１から８を基本とし、さらに、図３３に示すように、変換候補表示領域に表示されている静止画像を選択すると、静止画像に関連付けられている再変換候補の文字列が出力されることを特徴とする。
＜実施形態９の機能的構成＞
【０１９１】
図３４に本実施形態における放送受信装置の機能ブロック図の一例を示す。図３４に示すように、本実施形態の「携帯端末装置」（３４００）は、「変換前文字列入力部」（３４０１）、「辞書部」（３４０２）、「変換候補抽出部」（３４０３）、「選択受付部」（３４０４）、「選択実行部」（３４０５）、を有し、さらに、「辞書部」（３４０２）は、「再変換候補保持手段」を有し、「選択実行部」（３４０５）は、「再変換候補出力手段」を有する。
【０１９２】
「変換前文字列入力部」（３４０１）、「変換候補抽出部」（３４０３）「選択受付部」（３４０４）の機能的構成については、実施形態１などと同様であるので、ここでの詳細な説明は省略する。以下、「辞書部」（３４０２）の「再変換候補保持手段」と、「選択実行部」（３４０４）の「再変換候補出力手段」の機能的構成について説明する。
【０１９３】
辞書部（３４０２）の「再変換候補保持手段」は、変換候補として保持している静止画像と、再変換候補の文字列を関連付けて保持するよう構成されている。「再変換候補の文字列」とは、漢字、数字、アルファベット、記号、などからなる文字列であり、利用者が任意に定めることができる。
【０１９４】
選択実行部（３４０４）の「再変換候補出力手段」は、再変換候補と関連付けて保持されている変換候補の静止画像が選択された場合は、再変換候補の文字列を出力するよう構成されている。一方、再変換候補と関連付けずに保持されている静止画像が選択された場合は、選択実行部（３４０４）は、その静止画像を出力（例：「全画面表示」、「メールに添付」）するよう構成されている。
【０１９５】
＜実施形態９のハードウェア構成＞
【０１９６】
以下、図３５を用いて、本実施形態を実現する手段の一例を説明する。
【０１９７】
利用者が操作キーなどを利用し、変換候補の選択を入力すると、携帯端末装置は、ユーザＩ／Ｆ（３５０５）を介して選択入力信号を取得し、ＲＡＭ（３５０２）のデータ領域に保存する。そして、ＲＡＭ（３５０２）に展開された変換候補識別プログラムに従い、選択された変換候補を識別する。
【０１９８】
選択された変換候補が静止画像であった場合、ＲＡＭ（３５０２）に展開された静止画像実行プログラムに従い、再変換候補が関連付けられているか判断する。再変換候補が関連付けられていないと判断した場合、ＲＡＭ（３５０２）に展開された静止画像実行プログラムに従い、選択された静止画像をディスプレイ（３５１３）に出力する。一方、再変換候補が関連付けられていると判断した場合、ＲＡＭ（３５０２）に展開された再変換候補出力プログラムに従い、再変換候補の文字列を取り出す。そして、再変換候補をディスプレイ（３５１３）に出力する。
＜実施形態９の処理の流れ＞
【０１９９】
本実施形態の処理の流れの一例を図３６のフローチャートに示す。
【０２００】
まず、変換候補である静止画像の選択を受け付ける（Ｓ３６０１）。次に、選択された静止画像に再変換候補が関連付けられているか確認する（Ｓ３６０２）。
【０２０１】
再変換候補が関連付けられていない場合、選択された静止画像を出力する（Ｓ３６０３）。再変換候補が関連付けられている場合、再変換候補の文字列を取り出して、出力する（Ｓ３６０４）。
＜実施形態９の効果＞
【０２０２】
本実施形態の携帯端末装置は、再変換候補文字列を関連付けて保持している変換候補の静止画像が選択された時には、再変換候補文字列を出力することを特徴とする。
【０２０３】
例えば、パスワードや暗号など、秘匿性で暗記しにくい文字列を再変換候補として、変換候補の静止画像と関連付けて保持させることができる。そして、パスワード入力画面では、パスワードを関連付けている静止画像を変換候補として呼び出し、その静止画像を選択することで容易にパスワードの入力が行える。かかる場合、パスワードが変換候補として、ディスプレイに視認可能に表示されることがないので、セキュリティ面でも非常に優れている。
【図面の簡単な説明】
【０２０４】
【図１】一般的辞書機能の効果を示す概念図
【図２】実施形態１の効果を示す概念図
【図３】実施形態１の機能ブロック図
【図４】辞書データの例１
【図５】実施形態１のハードウェア構成の一例を示した概念図
【図６】実施形態１の処理の流れを示すフローチャート
【図７】実施形態２の効果を示す概念図
【図８】実施形態２の機能ブロック図
【図９】辞書データの例２
【図１０】実施形態２のハードウェア構成の一例を示した概念図
【図１１】実施形態２の処理の流れを示すフローチャート
【図１２】実施形態３の機能ブロック図
【図１３】実施形態３の処理の流れを示すフローチャート
【図１４】実施形態４の機能ブロック図
【図１５】辞書データの例３
【図１６】実施形態４、５のハードウェア構成の一例を示した概念図
【図１７】実施形態４の処理の流れを示すフローチャート
【図１８】実施形態５の機能ブロック図
【図１９】実施形態５の処理の流れを示すフローチャート
【図２０】実施形態６の機能ブロック図
【図２１】実施形態６のハードウェア構成の一例を示した概念図
【図２２】実施形態６の処理の流れを示すフローチャート
【図２３】実施形態７−１の機能ブロック図
【図２４】実施形態７−２の機能ブロック図
【図２５】辞書データの例４
【図２６】実施形態７−３の機能ブロック図
【図２７】実施形態７のハードウェア構成の一例を示した概念図
【図２８】実施形態７の処理の流れを示すフローチャート
【図２９】実施形態８の機能ブロック図
【図３０】実施形態８の効果を示す概念図
【図３１】実施形態８のハードウェア構成の一例を示した概念図
【図３２】実施形態８の処理の流れを示すフローチャート
【図３３】実施形態９の効果を示す概念図
【図３４】実施形態９機能ブロック図
【図３５】実施形態９のハードウェア構成の一例を示した概念図
【図３６】実施形態９の処理の流れを示すフローチャート
【符号の説明】
【０２０５】
０２０１    変換前文字列
０２０２    変換候補表示領域
０２０３    変換候補（文字列）
０２０４    変換候補（ファイル）
【図１】
2009135715.tif 000003
【図２】
2009135715.tif 000004
【図３】
2009135715.tif 000005
【図４】
2009135715.tif 000006
【図５】
2009135715.tif 000007
【図６】
2009135715.tif 000008
【図７】
2009135715.tif 000009
【図８】
2009135715.tif 000010
【図９】
2009135715.tif 000011
【図１０】
2009135715.tif 000012
【図１１】
2009135715.tif 000013
【図１２】
2009135715.tif 000014
【図１３】
2009135715.tif 000015
【図１４】
2009135715.tif 000016
【図１５】
2009135715.tif 000017
【図１６】
2009135715.tif 000018
【図１７】
2009135715.tif 000019
【図１８】
2009135715.tif 000020
【図１９】
2009135715.tif 000021
【図２０】
2009135715.tif 000022
【図２１】
2009135715.tif 000023
【図２２】
2009135715.tif 000024
【図２３】
2009135715.tif 000025
【図２４】
2009135715.tif 000026
【図２５】
2009135715.tif 000027
【図２６】
2009135715.tif 000028
【図２７】
2009135715.tif 000029
【図２８】
2009135715.tif 000030
【図２９】
2009135715.tif 000031
【図３０】
2009135715.tif 000032
【図３１】
2009135715.tif 000033
【図３２】
2009135715.tif 000034
【図３３】
2009135715.tif 000035
【図３４】
2009135715.tif 000036
【図３５】
2009135715.tif 000037
【図３６】
2009135715.tif 000038